(57)【要約】[課題]  無線通信端末の省電力化をはかる。[解決手段]  在圏しているセルの識別子を特定するセル識別手段と、  前記在圏しているセルの周囲のセルの検出及びその停止、又はセルの再選択の動作およびその停止を制御する制御手段と、  在圏時に前記検出を停止するセルまたは前記再選択を停止するセルである対象外セルの識別子を登録するＩＤテーブルに記録された対象外セル識別子と、前記セル識別手段が特定した在圏しているセルの識別子である在圏セル識別子とを比較し、比較に基づく判定結果を出力する判定手段と、を有し、前記制御手段は、前記判定手段の判定結果に基づいて、前記検出または前記再選択を制御する無線通信装置。
2013111558.tif 000002
【特許請求の範囲】
【請求項１】
在圏しているセルの識別子を特定するセル識別手段と、
前記在圏しているセルの周囲のセルの検出及びその停止、又はセルの再選択の動作およびその停止を制御する制御手段と、
在圏時に前記検出を停止するセルまたは前記再選択を停止するセルである対象外セルの識別子を登録するＩＤテーブルに記録された対象外セル識別子と、前記セル識別手段が特定した在圏しているセルの識別子である在圏セル識別子とを比較し、比較に基づく判定結果を出力する判定手段と、を有し、前記制御手段は、前記判定手段の判定結果に基づいて、前記検出または前記再選択を制御する無線通信装置。
【請求項２】
前記制御手段は、前記判定手段が、前記在圏セル識別子が、前記対象外セル識別子と異なると判定した場合に、前記検出または前記再選択を作動する請求項１の無線通信装置。
【請求項３】
前記ＩＤテーブルは、前記対象外セルの識別子に関連付けた、ＲＡＴ情報を有し、前記判定手段は前記ＲＡＴ情報と使用中のＲＡＴ情報を比較し、前記判定手段が、前記在圏セル識別子が、前記対象外セル識別子と異なると判定し、且つ、前記ＲＡＴ情報と前記使用中のＲＡＴ情報とが異なると判定した場合に、前記検出または前記再選択を作動する、請求項１の無線通信装置。
【請求項４】
前記セル識別手段は、識別子を特定する度に、特定した回数を計数し、
前記特定した回数が閾値を上回った場合に、前記ＩＤテーブルに、前記識別子を対象外セルとして記録する請求項１乃至３の一つに記載の無線通信装置。
【請求項５】
在圏しているセルの識別子を特定するセル識別処理と、
前記在圏しているセルの周囲のセルの検出及びその停止、又はセルの再選択の動作およびその停止を制御する制御処理と、
在圏時に前記検出を停止するセルまたは前記再選択を停止するセルである対象外セルの識別子を記録するＩＤテーブルに記録された対象外セル識別子と、前記セル識別処理で特定された前記在圏しているセルの識別子である在圏セル識別子と、を比較し判定結果を出力する判定処理と、
前記判定処理の判定結果に基づいて、前記検出または前記再選択を作動する、前記制御処理と、をコンピュータに実行させる無線通信プログラム。
【請求項６】
前記在圏セル識別子が、前記対象外識別子と異なると判定された場合に、前記検出または前記再選択を作動する前記制御処理を、前記コンピュータに実行させる請求項５の無線通信プログラム。
【請求項７】
前記ＩＤテーブルは、前記対象外セルの識別子に関連付けた、ＲＡＴ情報を有し、前記ＲＡＴ情報と使用中のＲＡＴ情報とを比較する前記判定処理と、
前記在圏セル識別子と前記対象外セル識別子、及び前記ＲＡＴ情報と前記使用中のＲＡＴ情報とが、それぞれ異なると判定された場合に、前記検出または前記再選択を作動する前記制御処理とを前記コンピュータに実行させる請求項６の無線通信プログラム。
【請求項８】
識別子を特定する度に特定した回数を計数し、前記特定した回数が閾値を上回った場合に、前記ＩＤテーブルに、前記識別子を対象外セルとして記録する前記セル識別処理を前記コンピュータに実行させる、請求項５乃至７のひとつに記載の無線通信プログラム。
【請求項９】
在圏しているセルの識別子を特定し、
前記在圏しているセルの周囲のセルを検出及びその停止、又はセルの再選択の動作およびその停止を制御し、
在圏時に前記検出を停止するセルまたは前記再選択を停止するセルである対象外セルの識別子を登録するＩＤテーブルに記録された対象外セル識別子と、前記在圏しているセルの識別子である在圏セル識別子と、を比較して判定し、
この判定の結果に基づいて、前記検出または前記再選択を作動する無線通信方法。
【請求項１０】
前記在圏セル識別子が、前記対象外識別子と異なると判定された場合に、前記検出または前記再選択を作動する請求項９の無線通信方法。
【発明の詳細な説明】
【技術分野】
【０００１】
本発明は無線通信装置および無線通信プログラムならびに無線通信方法に関する。
【背景技術】
【０００２】
３ＧＰＰ（３ｒｄ  Ｇｅｎｅｒａｔｉｏｎ  Ｐａｒｔｎｅｒｓｈｉｐ  Ｐｒｏｊｅｃｔ：第３世代携帯電話提携プロジェクト）仕様書に規定されるＣＳＧ（Ｃｌｏｓｅｄ  Ｓｕｂｓｃｒｉｂｅｒ  Ｇｒｏｕｐ：限定加入者グループ）機能は、無線通信端末とＣＳＧセル、及び、ネットワークとの接続性を重視している。そのため、仕様書は、無線通信端末の省電力機能や、セル選択手順の効率化機能についての、具体的な動作を明らかにしていないことが多い。このような明らかにされていない動作（以後、不明動作）は、余分な電力の消費や、セル選択のもたつきを招いている。【０００３】
３ＧＰＰの仕様で規定されるＣＳＧ機能は、以下に説明される。ＣＳＧセルの自動検出機能とは、ＲＲＣ(Ｒａｄｉｏ  Ｒｅｓｏｕｒｃｅ  Ｃｏｎｔｒｏｌ：ラジオリソース制御)において、待ち受け状態の状態である場合に、在圏セルからの報知情報にＮｅｉｇｈｂｏｒ  ｃｅｌｌ（隣接セル）として含まれないＣＳＧセルを検出する機能である。ここで、ＲＲＣは仕様書3GPP TS25.331及び、仕様書3GPP TS36.331に規定されている。【０００４】
検出対象のCSGセルは、事業者によりアクセスが許可されるＣＳＧ  ＩＤを持つＣＳＧセルである。すなわち、このＣＳＧセルは、仕様書3GPP TS23.122に規定されるAllowed CSG list、Operator CSG listに含まれるＣＳＧ ＩＤを持つセルである。もしくは、検出対象のCSGセルは、過去に在圏したことがあるＣＳＧセルである。【０００５】
無線通信端末はＣＳＧセルの自動検出機能を用いて近傍のＣＳＧセルを検出し、そのＣＳＧセルを選択することを可能とする。【０００６】
仕様書3GPP TS25.304には、無線通信端末がｎｏｎ ＣＳＧセル（ＣＳＧではないセル）に在圏するときは自動検出機能の使用により、近傍のＣＳＧセルを検出し、さらにそのＣＳＧセルを再選択するという規定がある。しかし、ＣＳＧセルに在圏するときは、無線通信端末が、別のＣＳＧセルの検出の為に自動検出機能を使用するという規定は特に定められていない。したがって自動検出機能は使用されることもあれば、されないこともある。これは不明動作の一つである。また、ＣＳＧセル在圏時で、かつ、現在使用するＲＡＴ(Ｒａｄｉｏ Ａｃｃｅｓｓ Ｔｅｃｈｎｏｌｏｇｙ：無線アクセス方式)と異なるＲＡＴのＣＳＧセルを検出した場合に、無線通信端末が、その検出したＣＳＧセルを再選択するという規定は特にない。したがって、検出された異なるＲＡＴのＣＳＧセルは再選択されることもあれば、再選択されないこともある。これは不明動作の一つである。【０００７】
続いて、３ＧＰＰ仕様に規定されない部分の制御におけるこれまでの課題が、以下に説明される。無線通信端末がＣＳＧセルに在圏しているときにＣＳＧセルの自動検出が起動すると、そのユーザが同じＣＳＧセルの在圏を維持したい場合でも、自動的に検出動作が始まる。その結果、余分な電力が、不要な自動検出動作により消費される。【０００８】
また、その場合、ユーザの希望と異なるＣＳＧセルが再選択される為、ユーザは期待するＣＳＧでのサービスを享受できない。更に、ＣＳＧセル在圏時にＣＳＧセルの自動検出機能が機能すると、無線電波の強度レベルが互いに近い複数のＣＳＧセルが存在する場合、無線通信端末は、そのＣＳＧセル間で再選択を繰り返す。この動作により、電力が無用に消費される。従って、ＣＳＧセル在圏時に無条件にＣＳＧセルの自動検出機能を動作させることは、省電力上、好ましくない問題を発生させる。【０００９】
しかし、無線通信端末においてＣＳＧセル在圏時にＣＳＧセルの自動検出機能を使用しないという設定がなされる場合、ユーザにとって希望と異なるＣＳＧセルに在圏し続けなければいけない事態が発生し得る。したがって、無線通信端末は、必要時（ユーザにとってより適切なＣＳＧセルに在圏させたいとき）にＣＳＧセルの自動検出を動作させるべきである。また、無線通信端末の、ＣＳＧセル在圏時に現在使用するＲＡＴと異なるＲＡＴでＣＳＧセルを検出した場合の動作は、同様の問題を生じさせる。すなわち、現在使用するＲＡＴとは異なるＲＡＴのＣＳＧセルへの再選択が、無条件に動作すると、ＣＳＧセルの再選択が不要な場合でも、ＣＳＧセルが再選択される。その結果、電力が無用に消費される。【００１０】
また、上記同様に、異なるＲＡＴのＣＳＧセルの再選択が必要な場合（ユーザにとってより適切なＣＳＧセルに在圏させたい時）は、再選択が実施されるべきである。無線通信端末の使い勝手を劣化させずに、省電力を実現するために、自動検出機能および再選択機能を適切に抑制することは、重要な課題となっている。【００１１】
省電力の実現を意図した関連技術として、特許文献１、特許文献２に開示された技術がある。特許文献１は、ＣＳＧセルからの信号の品質が在圏セルからの信号の品質より所定の閾値以上良い状態が、所定の再選択期間以上続くか否かを条件として、ユーザ装置の制御部が、ＣＳＧセルの再選択の有無を決めることを開示する。特許文献１に開示された技術は、この方法により、再選択による電力の消費を軽減する。【００１２】
特許文献２に開示された技術は、在圏システムの切り替え先の移動通信システムにおいて、発信規制が行われていない場合に、在圏システムを切り替えることにより、無駄な在圏システムの切り替えを抑制する。【００１３】
また、特許文献３は、自身が有する自発検索機能を使って、外部の入力に応答し、自身の機能を修正し、環境に対する検索方法を最適化する、モバイル装置を開示する。
【先行技術文献】
【特許文献】
【００１４】
【特許文献１】特開２０１０−２７３３８１号公報
【特許文献２】特開２０１０−１４１６６９号公報
【特許文献３】特開２０１１−１３０４４２号公報
【発明の開示】
【発明が解決しようとする課題】
【００１５】
特許文献１は、再選択の条件を定めてはいるが、ＣＳＧセルの自動検出機能について何も開示していない。したがって、この方式は、再選択における省電力化には効果を発揮しても、自動検出機能で発生する電力消費は、抑制できない。また、再選択における電波品質の測定は電力を必要とするため、完全な省電力にはならない。【００１６】
特許文献２は、在圏システムの切り替え条件を定めているが、ＣＳＧセルの自動検出機能について開示していない。したがって、この方式は、在圏システムの切り替えにおける省電力化に対しては効果を発揮しても、ＣＳＧセルの自動検出機能で発生する電力消費を抑制することはできない。【００１７】
特許文献３は、自動検出機能に相当する自発検索機能について開示する。しかし、その動作の抑制については、何ら開示していない。【００１８】
本発明の目的は、上記課題を解決して、無線通信端末の省電力化をはかることである。
【課題を解決するための手段】
【００１９】
本発明によれば、在圏しているセルの識別子を特定するセル識別手段と、
前記在圏しているセルの周囲のセルの検出及びその停止、又はセルの再選択の動作およびその停止を制御する制御手段と、
在圏時に前記検出を停止するセルまたは前記再選択を停止するセルである対象外セルの識別子を登録するＩＤテーブルに記録された対象外セル識別子と、前記セル識別手段が特定した在圏しているセルの識別子である在圏セル識別子とを比較し、比較に基づく判定結果を出力する判定手段と、を有し、前記制御手段は、前記判定手段の判定結果に基づいて、前記検出または前記再選択を制御するが得られる。【００２０】
本発明によれば、在圏しているセルの識別子を特定するセル識別処理と、
前記在圏しているセルの周囲のセルの検出及びその停止、又はセルの再選択の動作およびその停止を制御する制御処理と、
在圏時に前記検出を停止するセルまたは前記再選択を停止するセルである対象外セルの識別子を記録するＩＤテーブルに記録された対象外セル識別子と、前記セル識別処理で特定された前記在圏しているセルの識別子である在圏セル識別子と、を比較し判定結果を出力する判定処理と、
前記判定処理の判定結果に基づいて、前記検出または前記再選択を作動する、前記制御処理と、をコンピュータに実行させる無線通信プログラムが得られる。【００２１】
本発明によれば、在圏しているセルの識別子を特定し、
前記在圏しているセルの周囲のセルを検出及びその停止、又はセルの再選択の動作およびその停止を制御し、
在圏時に前記検出を停止するセルまたは前記再選択を停止するセルである対象外セルの識別子を登録するＩＤテーブルに記録された対象外セル識別子と、前記在圏しているセルの識別子である在圏セル識別子と、を比較して判定し、
この判定の結果に基づいて、前記検出または前記再選択を作動する無線通信方法が得られる。
【発明の効果】
【００２２】
本発明においては、ＣＳＧセルの自動検出機能を制御することによって、無線通信端末の省電力化をはかることができる。
【図面の簡単な説明】
【００２３】
【図１】図１は第１の実施形態の無線通信装置の回路構成を表す図である。
【図２】図２は第１の実施形態のＣＳＧセルの自動検出を制限する動作のフローを表す図である。
【図３】図３は第１の実施形態のＣＳＧセルの再選択を制限する動作のフローを表す図である。
【図４】図４は第２の実施形態のＣＳＧセルの自動検出制限する動作のフローを表す図である。
【図５】図５は第３の実施形態の無線通信装置の回路構成を表す図である。
【図６】図６は第１の実施形態の無線通信装置の第２の回路構成を表す図である。
【発明を実施するための形態】
【００２４】
（第１の実施形態）
次に、本発明の第１の実施の形態が、図面を参照して詳細に説明される。図１は本発明の第１の実施形態に係わる無線通信装置の回路構成の要部を表したものである。本実施形態の無線通信装置１１は、ＣＰＵ１２（ＣＰＵ：Ｃｅｎｔｒａｌ  Ｐｒｏｃｅｓｓｏｒ  Ｕｎｉｔ、中央処理装置）を搭載している。ＣＰＵ１２はバス１３を介して装置内の各部と接続している。ＣＰＵ１２は、自動検出制御部２４に、ＣＳＧセルの自動検出の制御を実行させる。また、ＣＰＵ１２は、再選択制御部２６にＣＳＧセルの再選択の制御を実行させる。また、ＣＰＵ１２は、判定部２３に、不揮発メモリ制御部１６に格納されたＣＳＧセルへのアクセスを制御するリストに登録されたＣＳＧ  ＩＤと、セル識別部２２が識別する在圏中のセルのＣＳＧ  ＩＤとの比較を実行させる。これにより、判定部２３は比較に基づく判定結果を出力する。つづいてＣＰＵ１２は、判定部２３からの判定結果に基づいて、自動検出部制御部２４、再選択制御部２６に対する命令を出す。また、ＣＰＵ１２は、キー入力部１８からの入力に応じて、このリストに登録されたデータの、更新、削除、追加を行う。
【００２５】
ＲＯＭ１４（ＲＯＭ：Ｒｅａｄ  Ｏｎｌｙ  Ｍｅｍｏｒｙ：読取り専用メモリ）は、ＣＰＵ１２が実行する各種の制御用プログラム等の固定的なデータを格納したリード・オンリ・メモリである。
【００２６】
ＵＳＩＭ制御部１５や不揮発メモリ制御部１６は、ＣＳＧ機能を実現する為にＡｌｌｏｗｅｄ  ＣＧＳ  ｌｉｓｔ、Ｏｐｅｒａｔｏｒ  ＣＳＧ  ｌｉｓｔが格納された不揮発性のメモリ領域を管理する。Ａｌｌｏｗｅｄ  ＣＧＳ  ｌｉｓｔ、Ｏｐｅｒａｔｏｒ  ＣＳＧ  ｌｉｓｔは、仕様書3GPP TS31.102に規定されている。なお、ＵＳＩＭはＵｎｉｖｅｒｓａｌ  Ｓｕｂｓｃｒｉｂｅｒ  Ｉｄｅｎｔｉｔｙ  Ｍｏｄｕｌｅの略語であり、3G携帯電話に差して使う、ICカードである。Ａｌｌｏｗｅｄ  ＣＳＧ  ｌｉｓｔ、Ｏｐｅｒａｔｏｒ  ＣＳＧ  ｌｉｓｔは仕様書3GPP TS23.122に則って作成されたものである。これらは、自動検出部２５がＣＳＧセルの自動検出機能を、再選択部２７が、ＣＳＧセルの再選択動作機能を、それぞれ実行する際に使用される。
【００２７】
本発明の実施形態において、対象外セルのリスト、すなわち、ＣＳＧセルの自動検出を抑止する為のリスト、及び使用中のＲＡＴと異なるＲＡＴのＣＳＧセルへの再選択を抑止する為のリストは、不揮発メモリ制御部１６に格納されている。ここで、ＣＳＧセルの自動検出を抑止する為のリストとは、そのセルに在圏している場合は、自動検出が行われないＣＳＧセルの識別子（ＣＳＧ  ＩＤ）を記録したもの（以降、自動検出抑制対象リストとも呼ぶ）である。また、使用中のＲＡＴと異なるＲＡＴのＣＳＧセルへの再選択を抑止する為のリストとは、そのセルに在圏している場合は、使用中のＲＡＴと異なるＲＡＴのＣＳＧセルの再選択が行われないＣＳＧ  ＩＤを記録したものである。このリストは、以降、再選択抑制対象リストとも呼ばれる。また、自動検出が行われないＣＳＧ  ＩＤと、異なるＲＡＴのＣＳＧセルの再選択が行われないＣＳＧ  ＩＤとは、対象外セル識別子とも呼ばれる。なお、在圏時に検出を停止するセルまたは再選択を停止するセルである対象外セルのＩＤ（識別子）を登録するリストを、ＩＤテーブルと呼ぶこともある。
【００２８】
作業用メモリ１７はＲＡＭ（Ｒａｎｄｏｍ  Ａｃｃｅｓｓ  Ｍｅｍｏｒｙ）によって構成されており、ＣＰＵ１２がプログラムを実行する上で一時的に必要とされるデータを格納する。
【００２９】
ＣＳＧセルの自動検出において検出対象となるＣＳＧのＣＳＧ ＩＤ（Ｉｄｅｎｔｉｆｉｃａｔｉｏｎ）情報が、作業用メモリ１７の所定の領域に格納される。
【００３０】
また、ＣＳＧセルの再選択動作において、ＵＳＩＭ制御部１５や不揮発メモリ制御部１６で管理されるＡｌｌｏｗｅｄ  ＣＳＧ  Ｌｉｓｔ、Ｏｐｅｒａｔｏｒ  ＣＳＧ  Ｌｉｓｔの情報が、作業用メモリ１７の所定の領域に格納される。作業用メモリ１７は、他の情報を格納していることもある。
【００３１】
キー入力部１８は、ユーザからのキー入力を受け付ける入力回路である。
【００３２】
表示制御部１９は、表示部２０の表示を制御する制御回路である。
【００３３】
表示部２０は、図示しない装置本体の前面に配置されている。表示部２０は、白黒あるいはカラーの液晶パネルあるいは有機ＥＬ（ＥＬ：Ｅｌｅｃｔｒｏ−Ｌｕｍｉｎｅｓｃｅｎｃｅ、電子蛍光）の表示装置である。表示部２０は、液晶パネル、有機ＥＬ以外の方式の表示装置であってもよい。
【００３４】
送受信部２１は、無線によってデータの送受信を行う回路である。
【００３５】
セル識別部２２は、無線通信装置１１が在圏しているセルのＣｅｌｌ  ＩＤ（在圏セル識別子）を識別する。
【００３６】
自動検出部２５は、ＣＳＧセルを自動的に検出し、検出したＣＳＧ  ＩＤを記憶する。
【００３７】
自動検出制御部２４は、自動検出部２５の動作を制御する。
【００３８】
異ＲＡＴ検出部２８は、使用中のＲＡＴとは異なるＲＡＴを検出する。
【００３９】
再選択部２７は、異ＲＡＴ検出部２８が検出したＲＡＴを選択する。
【００４０】
再選択制御部２６は、再選択部２７の動作を制御する。
なお、自動検出制御部２４、再選択制御部２６の代わりに、これらの機能を併せ持つ制御部２９を用いてもよい。
【００４１】
なお、本実施形態では、判定部２３、自動検出制御部２４、再選択制御部２６は、ＣＰＵ１２が、ＲＯＭ１４に格納されているプログラムを実行することで実現されているが、論理回路を組み合わせて構成するハードウェアで実現されてもよい。
（第１の実施形態の動作）
次に、本発明の第１の実施の形態の動作が、図面を参照して説明される。図２は、本実施形態で使用される、ＣＳＧセルの自動検出を制限する動作のフローを表す。図３は、本実施形態で使用される、ＣＳＧセルの再選択を制限する動作のフローを表す。図２に示すＣＳＧセルの自動検出を制限する動作と図３に示す使用中のＲＡＴと異なるＲＡＴのＣＳＧセルへの再選択を制限する動作は、互いに独立な動作が可能である。ＣＳＧセルの自動検出を制限する動作が、以下に説明される。図２に示すように、最初に無線通信装置１１のＣＰＵ１２は、不揮発メモリ制御部１６から、ＣＳＧセルの自動検出を抑止する為のリスト（以下、自動検出抑制対象リスト）を読み込む（ステップ４１）。ＣＳＧセルの自動検出を抑止する為のリストに登録する特定のＣＳＧ  ＩＤの対象は以下１）、２）もしくは３）のいずれかである。
【００４２】
１）Ｏｐｅｒａｔｏｒ  ＣＳＧ  ｌｉｓｔ(仕様書3GPP TS31.102を参照)に含まれるＣＳＧ  ＩＤ。
【００４３】
２）Ｍａｎｕａｌ  ＣＳＧ  ｓｅｌｅｃｔｉｏｎ(仕様書3GPP TS23.122を参照)でユーザから指定された経験のあるＣＳＧ  ＩＤ。
【００４４】
３）ユーザもしくは事業者が直接不揮発メモリ制御部１６にアクセスして登録するＣＳＧ  ＩＤ。
【００４５】
１）、２）のＣＳＧ  ＩＤが、自動検出を抑止するＣＳＧ  セルとして設定される場合、ユーザはリストのマニュアル設定を行う必要はない。この場合、ＣＰＵ１２が、送受信部２１を介して入力された、Ｏｐｅｒａｔｏｒ  ＣＳＧ  ｌｉｓｔもしくはＭａｎｕａｌ  ＣＳＧ  ｓｅｌｅｃｔｉｏｎ（選択）のデータを、ＵＳＩＭ制御部１５、不揮発メモリ制御部１６に保存する。１）、２）のＣＳＧ  ＩＤを利用することは、自律的なリスト管理を可能とする。３）はユーザ及び事業者が直接リストを更新する手動の管理である。
【００４６】
ここで、１）の、Ｏｐｅｒａｔｏｒ  ＣＳＧ  ｌｉｓｔとは、仕様書3GPP TS23.122や仕様書3GPP TS31.102に規定されるリストである。このリストは、事業者がユーザ各人に対してどのＣＳＧセルにアクセス可能かを示すリストであり、予めＵＳＩＭ制御部１５、もしくは不揮発メモリ制御部１６に登録されている。２）の、Ｍａｎｕａｌ  ＣＳＧ  ｓｅｌｅｃｔｉｏｎとは、仕様書3GPP TS23.122に規定される動作である。この動作は、周辺ＣＳＧセルのＣＳＧ  ＩＤをユーザに示し、ユーザがそのＣＳＧ ＩＤを指定することで、ユーザが希望するＣＳＧセルでのアクセスを可能とする。
【００４７】
１）の内容がリストになる場合、リストの内容は、無線通信装置１１内のＵＳＬＭ制御部１５や不揮発メモリ制御部１６により管理されるＯｐｅｒａｔｏｒ  ＣＳＧ  ｌｉｓｔと同じ内容となる。２）の内容がリストになる場合、無線通信装置１１内で、ＣＰＵ１２は、仕様書3GPP TS23.122のＭａｎｕａｌ  ＣＳＧ選択を実施し、作業用メモリ１７にその結果であるユーザ指定のＣＳＧ  ＩＤを一時的に記憶させる。このＣＳＧ  ＩＤがリストに追加される。３）の内容をリストとする場合には、不揮発メモリ制御部１６で管理されたリストを、ユーザおよび事業者が適宜書き換えたり、任意のＣＳＧ  ＩＤをリストに追加したりすることによって、リストが構築される。
【００４８】
続いて、ＣＰＵ１２は、セル識別部２２に、無線通信装置１１が在圏するセルのＩＤを特定させ、このセルがＣＳＧセルであるか否かを判定させる。セル識別部２２は、在圏するセルのＩＤを特定し、このＩＤがＣＳＧセルのＩＤであるか否かを、判断する（ステップ４２）。この判断は、ＵＳＩＭ制御部１５や不揮発メモリ制御部１６で管理されるＡｌｌｏｗｅｄ  ＣＳＧ  Ｌｉｓｔ、Ｏｐｅｒａｔｏｒ  ＣＳＧ  Ｌｉｓｔの情報を参照して行われる。
【００４９】
セル識別部２２が、在圏するセルがＣＳＧセルであることを判定した場合（ステップ４２、ＹＥＳ）、ＣＰＵ１２は、ステップ４３の動作を行う。すなわち、ＣＰＵ１２は、判定部２３に、ＲＲＣ  ＩＤＬＥ状態で、自動検出抑制リストに登録されたＣＳＧ  ＩＤのいずれかと、在圏するセルのＩＤが等しいか否かを判定させる(ステップ４３)。
【００５０】
セル識別部２２が、在圏するセルがＣＳＧセルではないと判定した場合（ステップ４２、ＮＯ）、ＣＰＵ１２は、セル識別部２２に、判断処理を継続させる。
【００５１】
ステップ４３において、リスト内のＣＳＧ  ＩＤの中に、在圏中のＣＳＧセルのＣＳＧ  ＩＤと一致するＣＳＧ  ＩＤがあった場合、ＣＰＵ１２は、自動検出制御部２４に、自動検出部２５の動作を停止するよう指示する(ステップ４５、ステップ４３  ＹＥＳ)。ステップ４３において、リスト内のＣＳＧ  ＩＤの中に、在圏中のＣＳＧセルのＣＳＧ  ＩＤと一致するＣＳＧがなかった場合、ＣＰＵ１２は、自動検出制御部２４に、自動検出部２５を動作させるよう指示する。この指示を受けた自動検出制御部２４は、自動検出部２５を動作させて、在圏中のＣＳＧセルの周囲のＣＳＧセルを自動検出する(ステップ４４、ステップ４３  ＮＯ)。
【００５２】
本実施形態では、リスト内のＣＳＧ  ＩＤの中に、在圏中のＣＳＧセルのＣＳＧ  ＩＤと一致するＣＳＧがなかった場合にのみ、自動検出部２５が作動する。したがって、いずれのＣＳＧ  ＩＤでも自動検出部２５を作動させる場合に比べて、本実施形態は、無線通信装置１１の省電力化を図ることができる。
【００５３】
次に、再選択を制限する動作が以下に説明される。図３に示すように、無線通信装置１１のＣＰＵ１２は、不揮発メモリ制御部１６から現在使用中のＲＡＴと異なるＲＡＴのＣＳＧセルの再選択を抑止する為のリスト（以降、再選択抑制リスト）を読み込む。再選択抑制リストは上記自動検出抑制リストと同様、前述の１）〜３）のいずれかを用いる(ステップ６１)。
【００５４】
続いて、ＣＰＵ１２は、セル識別部２２に、無線通信装置１１が在圏するセルのＩＤを特定させ、このセルがＣＳＧセルであるか否かを判定させる。セル識別部２２は、在圏するセルのＩＤを特定し、このＩＤがＣＳＧセルのＩＤであるか否かを、判断する（ステップ６２）。セル識別部２２は、この判断を、ＵＳＩＭ制御部１５や不揮発メモリ制御部１６で管理されるＡｌｌｏｗｅｄ  ＣＳＧ  Ｌｉｓｔ、Ｏｐｅｒａｔｏｒ  ＣＳＧ  Ｌｉｓｔの情報を参照して行う。
【００５５】
セル識別部２２が、在圏するセルがＣＳＧセルであることを判定した場合（ステップ６２、ＹＥＳ）、引き続いてＣＰＵ１２は、異ＲＡＴ検出部２８が使用中のＲＡＴと異なるＲＡＴのＣＳＧセルを検出したかどうかを、判定する(ステップ６３)。
【００５６】
異なるＲＡＴでＣＳＧを検出した場合（ステップ６３、ＹＥＳ）、ＣＰＵ１２は、さらに、再選択抑制リストに登録されているＣＳＧ  ＩＤに該当するＣＳＧ  ＩＤのＣＳＧセルに在圏中かどうかを判定する(ステップ６４)。
【００５７】
異なるＲＡＴでＣＳＧを検出していない場合（ステップ６３、ＮＯ）、ステップ６２からの処理が繰り返される。異なるＲＡＴでＣＳＧを検出した場合（ステップ６３、ＹＥＳ）、ＣＰＵ１２は、判定部２３に、ＲＲＣ  ＩＤＬＥ状態で、再選択抑制リストに登録されたＣＳＧ  ＩＤのいずれかと、在圏するセルのＩＤが等しいか否かを判定させる(ステップ６４)。
【００５８】
再選択抑制リストに登録されたＣＳＧ  ＩＤと在圏中のＣＳＧセルのＣＳＧ  ＩＤが一致した場合、ＣＰＵ１２には、再選択部２７に検出したＣＳＧセルへの再選択を実施させない指示を出力する(ステップ６６、ステップ６４  ＹＥＳ)。
【００５９】
リストに登録されたＣＳＧ  ＩＤと在圏中のＣＳＧセルのＣＳＧ  ＩＤが一致しなかった場合、ＣＰＵ１２は、再選択部２７に対し、検出したＣＳＧセルの再選択を実施させる(ステップ６５、ステップ６４のＮＯ)。
【００６０】
なお、上記では、自動検出の抑制と、再選択の抑制とを独立に行う例について説明したが、必ずしも両者は独立である必要はない。この方式に加えて、自動検出の抑制において対象外であった場合について、自動検出を行った上で、さらに再選択の抑制を行なう方式がとられることが可能である。また、この方式に加えて、自動検出の抑制において、対象であった場合について、再選択の抑制をさらに行う方式が可能である。
【００６１】
また、本実施形態においては、自動検出制御部２４と再選択制御部２６とを分けているが、必ずしも両者は分けなくてもよい。なお、無線通信装置１１は、図６に示すように、自動検出制御部２４と再選択制御部２６の機能を一体化した制御部２９を、自動検出制御部２４と再選択制御部２６の代わりに有してもよい。
（第２の実施形態）
本発明の第２の実施形態の基本的構成は第１の実施形態と同じである。ＣＳＧセルの自動検出を抑止するＣＳＧ  ＩＤのリストに付加情報を設ける点が、第１の実施形態とは異なる。一例として具体的には、ＣＳＧセルの自動検出を抑止するＣＳＧ  ＩＤのリストに、拡張機能として、そのＣＳＧ  ＩＤに付属するＲＡＴ情報が追加される。
【００６２】
図４はＣＳＧ  ＩＤとＲＡＴ情報を基に、ＣＳＧセルの自動検出を制御するフローを表している。ステップ８１で扱うリストは、ＣＳＧ  ＩＤと、そのＣＳＧ  ＩＤに関連付くＲＡＴ情報を有している。
【００６３】
図４のステップ８１で用いる自動検出抑制対象リストには、図２のステップ４１の自動検出抑制対象リストのＣＳＧ  ＩＤに、それぞれのＲＡＴ情報が追加されている。図４のステップ８３は図２のステップ４３とは異なり、ＣＰＵ１２がＣＳＧセルの自動検出を抑制する対象であるか否かの判断を、ＣＳＧ  ＩＤのみならずＲＡＴ情報にも基づいて行っている。図４のステップ８２、８４、８５の動作は、図２のステップ４２、４４、４５の動作と同じである。
【００６４】
本実施形態では、ＣＳＧセルの自動検出について説明したが、同様に、ＣＰＵ１２は、ＣＳＧセル在圏時の、異なるＲＡＴのＣＳＧセルへの再選択動作に関してもＲＡＴ情報を基に制御できる。
その場合は、異なるＲＡＴのＣＳＧセルへの再選択を抑止するＣＳＧ  ＩＤのリストに、ＲＡＴ情報が追加される。
【００６５】
追加され得る情報は、ＲＡＴ情報に限定されない。時間帯情報を追加することにより、特定の時間帯において、自動検出を抑制するＣＳＧ  ＩＤのリストに登録されたＣＳＧ  ＩＤと、在圏するセルのＣＳＧ  ＩＤが一致した場合にのみ、自動検出部２２にＣＳＧセルの自動検出を抑制することが可能である。
【００６６】
このように、本実施形態は、ＣＳＧ  ＩＤの情報に付加情報が追加されることによって、第１の実施形態よりも細かい設定のもとに、自動検出の抑制が行われる。
【００６７】
さらに、ＣＳＧセルの自動検出を抑止するＣＳＧ  ＩＤのリスト、もしくは、異なるＲＡＴのＣＳＧセルへの再選択を抑止するＣＳＧ  ＩＤのリストの登録、削除の方法については、以下を適用できる。
【００６８】
１）セル識別部２２は、単位時間あたりのＣＳＧセルの、ＣＳＧ  ＩＤ毎の在圏回数を計数する。この在圏回数が閾値を上回る場合に、そのＣＳＧ  ＩＤがＩＤテーブルに登録される。また、別に設定する閾値を下回る場合に、そのＣＳＧ  ＩＤがＩＤテーブルから削除される。
【００６９】
２）Ｍａｎｕａｌ  ＣＳＧ選択でユーザが選択した累計回数が閾値を超えた場合に、そのＣＳＧ  ＩＤをリストに登録する。また、Ｍａｎｕａｌ  ＣＳＧ選択で、ユーザから連続的に指定されない回数が別に設定する閾値を下回る場合に、そのＣＳＧ  ＩＤをリストから削除する。
【００７０】
３）現在発見されているＣＳＧセルのＣＳＧ  ＩＤをユーザに示し、その中でユーザが指定するＣＳＧ  ＩＤをリストに登録もしくは削除する。
（第３の実施形態）
本発明の第３の実施形態が、図５によって説明される。本実施形態は、在圏しているセルの識別子を特定するセル識別部２２０と、この在圏しているセルの周囲のセルの検出及びその停止、又はセルの再選択の動作およびその停止を制御する制御部２９０と、在圏時に検出を停止するセルまたは再選択を停止するセルである対象外セルの識別子を登録するＩＤテーブルに記録された対象外セル識別子と、セル識別部２２０が特定した在圏しているセルの識別子である在圏セル識別子とを比較し、比較に基づく判定結果を出力する判定部２３０と、を有し、制御部２９０は、判定部２３０の判定結果に基づいて、前記検出または前記再選択を制御する無線通信装置１１０である。
【００７１】
この出願は２０１２年１月２３日に出願された日本出願特願２０１２−０１１０７７を基礎とする優先権を主張し、その開示の全てをここに取り込む。
【００７２】
以上、実施形態を参照して本願発明を説明したが、本願発明は上記実施形態に限定されるものではない。本願発明の構成や詳細には、本願発明のスコープ内で当業者が理解し得る様々な変更をすることができる。
【符号の説明】
【００７３】
１１    無線通信装置
１２    ＣＰＵ
１３    バス
１４    ＲＯＭ
１５    ＵＳＩＭ制御部
１６    不揮発メモリ制御部
１７    作業用メモリ
１８    キー入力部
１９    表示制御部
２０    表示部
２１    送受信部
２２    セル識別部
２３    判定部
２４    自動検出制御部
２５    自動検出部
２６    再選択制御部
２７    再選択部
２８    異ＲＡＴ検出部
２９    制御部
１１０    無線通信装置
２２０    セル識別部
２３０    判定部
２９０    制御部
【図１】
2013111558.tif 000003
【図２】
2013111558.tif 000004
【図３】
2013111558.tif 000005
【図４】
2013111558.tif 000006
【図５】
2013111558.tif 000007
【図６】
2013111558.tif 000008
【国際調査報告】
2013111558.tif 000009
2013111558.tif 000010
2013111558.tif 000011
2013111558.tif 000012